(57)【要約】【課題】  停電発生時に、建物側蓄電装置に接続されたエレベータとエレベータ側蓄電装置に接続されたエレベータとを含む複数のエレベータを、効率よく運転させるエレベータ群管理装置を提供する。【解決手段】  実施形態によればエレベータ群管理装置は、停電時運転情報取得部とエレベータ管理部とを有する。停電時運転情報取得部は、建物内で停電が発生すると、エレベータごとに設定された、停電時の電力供給元を建物側蓄電装置とするかまたはエレベータ側蓄電装置とするかを示した電力供給元情報、および、停電時に運転対象とする階床範囲を示した階床範囲情報を、停電時運転情報として取得する。エレベータ管理部は、停電時運転情報取得部で取得された停電時運転情報に基づいて、対応する電力供給元情報で示される蓄電装置から供給される電力で、対応する階床範囲情報で示される階床範囲を運転させる。【選択図】図１
2015013738.tif 000002
【特許請求の範囲】
【請求項１】
建物内の複数設備に電力を供給可能な建物側蓄電装置に接続されたエレベータと、自エレベータ専用のエレベータ側蓄電装置を有するエレベータとを含む、前記建物内の複数のエレベータを管理するエレベータ群管理装置において、
前記建物内で停電が発生すると、前記エレベータごとに設定された、停電時の電力供給元を前記建物側蓄電装置とするかまたは前記エレベータ側蓄電装置とするかを示した電力供給元情報、および、停電時に運転対象とする階床範囲を示した階床範囲情報を、停電時運転情報として取得する停電時運転情報取得部と、
前記停電時運転情報取得部で停電時運転情報が取得されると、前記各エレベータを、前記停電時運転情報に基づいて、対応する電力供給元情報で示される蓄電装置から供給される電力で、対応する階床範囲情報で示される階床範囲を運転させるエレベータ管理部と
を備えることを特徴とするエレベータ群管理装置。
【請求項２】
前記エレベータ管理部は、前記建物側蓄電装置から供給される電力で運転するエレベータの乗りかごは定格速度で昇降させ、前記エレベータ側蓄電装置で運転するエレベータの乗りかごは前記定格速度よりも低速度で昇降させる
ことを特徴とする請求項１に記載のエレベータ群管理装置。
【請求項３】
前記停電時運転情報取得部で取得される前記エレベータごとの階床範囲情報のうち、停電時の電力供給元を前記エレベータ側蓄電装置とするエレベータの階床範囲情報は、建物の出入り口階である基準階および低層階床に対応して設定され、停電時の電力供給元を前記建物側蓄電装置とするエレベータの階床範囲情報は、前記基準階および高層階床に対応して設定される
ことを特徴とする請求項１または２に記載のエレベータ群管理装置。
【請求項４】
前記エレベータ管理部は、いずれかの前記エレベータ側蓄電装置が、前記建物側蓄電装置よりも早く電力供給不可能な状態になったことを検知したときには、電力供給が不可能な状態になったエレベータ側蓄電装置を有するエレベータの運転対象の階床範囲を、前記建物側蓄電装置から供給される電力で運転するエレベータの運転対象に含めるように、前記階床範囲情報を変更する
ことを特徴とする請求項１〜３いずれか１項に記載のエレベータ群管理装置。
【請求項５】
前記エレベータ管理部は、前記建物側蓄電装置が、前記エレベータ側蓄電装置よりも早く電力供給不可能な状態になったことを検知したときには、当該建物側蓄電装置で運転していたエレベータの運転対象の階床範囲を、前記エレベータ側蓄電装置から供給される電力で運転するいずれかのエレベータの運転対象となるように、前記階床範囲情報を変更する
ことを特徴とする請求項１〜３いずれか１項に記載のエレベータ群管理装置。
【発明の詳細な説明】
【技術分野】
【０００１】
本発明の実施形態は、エレベータ群管理装置に関する。
【背景技術】
【０００２】
従来、多くの大型の建物には、停電時に建物内の電気設備に電力を供給するための蓄電装置が備えられている。
【０００３】
また、この建物内の電気設備のための蓄電装置（建物側蓄電装置）とは別に、エレベータ専用の蓄電装置（エレベータ側蓄電装置）を備えている場合もある。
【０００４】
これらの建物側蓄電装置やエレベータ側蓄電装置を備えることにより、災害等により停電が発生した際にも継続して電気設備を稼動させることができ、在館者の利便性が向上する。
【先行技術文献】
【特許文献】
【０００５】
【特許文献１】特開２００７−２３８３１６号公報
【発明の概要】
【発明が解決しようとする課題】
【０００６】
建物内に複数のエレベータが設置されている場合、建物側蓄電装置に接続されたエレベータとエレベータ側蓄電装置に接続されたエレベータとが混在する場合がある。
【０００７】
このような場合に、各蓄電装置の容量や各エレベータの使用状況を考慮しながら、停電中になるべく長く効率的にエレベータを使用可能とするように管理することが望まれている。
【０００８】
本発明は上記事情に鑑みてなされたものであり、停電発生時に、建物側蓄電装置に接続されたエレベータとエレベータ側蓄電装置に接続されたエレベータとを含む複数のエレベータを、効率よく運転させるエレベータ群管理装置を提供することを目的とする。
【課題を解決するための手段】
【０００９】
上記目的を達成するための実施形態によればエレベータ群管理装置は、停電時運転情報取得部とエレベータ管理部とを有する。停電時運転情報取得部は、建物内で停電が発生すると、エレベータごとに設定された、停電時の電力供給元を建物側蓄電装置とするかまたはエレベータ側蓄電装置とするかを示した電力供給元情報、および、停電時に運転対象とする階床範囲を示した階床範囲情報を、停電時運転情報として取得する。エレベータ管理部は、停電時運転情報取得部で取得された停電時運転情報に基づいて、対応する電力供給元情報で示される蓄電装置から供給される電力で、対応する階床範囲情報で示される階床範囲を運転させる。
【図面の簡単な説明】
【００１０】
【図１】一実施形態によるエレベータ群管理装置を利用したエレベータシステムの構成を示すブロック図。
【図２】一実施形態によるエレベータ群管理装置に記憶された停電時運転情報の、（ａ）パターンＡ、（ｂ）パターンＢの例を示す説明図。
【図３】一実施形態によるエレベータ群管理装置の動作を示すフローチャート。
【図４】一実施形態によるエレベータ群管理装置の一のエレベータ側蓄電装置が電力供給不可能になったときに変更された停電時運転情報の例を示す説明図。
【図５】一実施形態によるエレベータ群管理装置の建物側蓄電装置が電力供給不可能になったときに変更された停電時運転情報の例を示す説明図。
【発明を実施するための形態】
【００１１】
〈一実施形態によるエレベータ群管理装置を利用したエレベータシステムの構成〉
本発明の一実施形態によるエレベータ群管理装置を利用したエレベータシステムの構成について、図１を参照して説明する。
【００１２】
本実施形態によるエレベータシステム１は、建物内に設置された中央監視制御装置１０と、中央監視制御装置１０で監視および制御される第１エレベータ２１、第２エレベータ２２、および第３エレベータ２３とを有する。
【００１３】
中央監視制御装置１０は建物の防災センタ内に設置され、建物側蓄電装置１１とエレベータ群管理装置１２とを有する。
【００１４】
建物側蓄電装置１１は、大型の蓄電池を有しており、停電時に建物内の複数の電気設備に電力を供給する。
【００１５】
エレベータ群管理装置１２は、停電時運転情報記憶部１２１と、停電時運転情報取得部１２２と、エレベータ管理部１２３とを有する。
【００１６】
停電時運転情報記憶部１２１は、エレベータごとの停電時運転情報として、停電時の電力供給元を建物側蓄電装置１１とするかまたは各エレベータ専用のエレベータ側蓄電装置とするかを示した電力供給元情報と、停電時に運転対象（サービス対象）とする階床範囲情報とを記憶する。
【００１７】
停電時運転情報取得部１２２は、停電発生が検知されると、停電時運転情報記憶部１２１に記憶された停電時運転情報を取得する。
【００１８】
エレベータ管理部１２３は、建物内で停電が発生すると、停電時運転情報取得部１２２で取得された停電時運転情報に基づいて、各エレベータ２１〜２３を、建物側蓄電装置１１または後述するエレベータ側蓄電装置から供給される電力を利用し、対象とする階床範囲内で運転するように切り替える。また、いずれかの蓄電装置で電力供給が不可能な状態になると、停電時運転情報の階床範囲情報を変更する。
【００１９】
第１エレベータ２１は、中央監視制御装置１０の建物側蓄電装置１１に接続され、乗りかご２１１と、中央監視制御装置１０からの指示に基づいて乗りかご２１１の昇降を制御するエレベータ制御盤２１２とを有する。この構成により、第１エレベータ２１は、停電時に建物側蓄電装置１１からの電力供給で稼動可能である。
【００２０】
第２エレベータ２２は、中央監視制御装置１０の建物側蓄電装置１１に接続され、乗りかご２２１と、中央監視制御装置１０からの指示に基づいて乗りかご２２１の昇降を制御するエレベータ制御盤２２２と、当該第２エレベータ専用のエレベータ側蓄電装置２２３とを有する。この構成により、第２エレベータ２２は、停電時に建物側蓄電装置１１からの電力供給またはエレベータ側蓄電装置２２３のいずれかからの電力供給で稼動可能である。
【００２１】
第３エレベータ２３は、乗りかご２３１と、中央監視制御装置１０からの指示に基づいて乗りかご２３１の昇降を制御するエレベータ制御盤２３２と、当該第３エレベータ専用のエレベータ側蓄電装置２３３とを有する。この構成により、第３エレベータ２３は、停電時にエレベータ側蓄電装置２３３からの電力供給で稼動可能である。
【００２２】
本実施形態において、建物側蓄電装置１１は、エレベータ側蓄電装置２２３、２３３よりも充分に大きい蓄電容量を有している。
【００２３】
〈一実施形態によるエレベータ群管理装置を利用したエレベータシステムの動作〉
次に、本実施形態によるエレベータシステム１の動作について説明する。
【００２４】
本実施形態において、エレベータ群管理装置１２の停電時運転情報記憶部１２１には、エレベータごとの、停電時の電力供給元情報および運転対象（サービス対象）階床範囲情報が、停電時運転情報として記憶されている。
【００２５】
停電時運転情報の例として図２（ａ）にパターンＡを示し、図２（ｂ）にパターンＢを示す。
【００２６】
図２（ａ）のパターンＡでは、停電時の電力供給元が、第１エレベータ２１および第２エレベータ２２は建物側蓄電装置１１であり、第３エレベータ２３はエレベータ側蓄電装置２３３であることが示されている。
【００２７】
また、第１エレベータ２１および第２エレベータ２２が建物側蓄電装置１１を利用して運転する際は通常運転時と同様の定格速度で運転し、第３エレベータ２３がエレベータ側蓄電装置２３３を利用して運転する際は定格速度よりも低速度で運転することが示されている。
【００２８】
また、停電時の運転対象の階床範囲が、第１エレベータ２１および第２エレベータ２２は基準階（建物の出入り口階）である１階および中高層階の４階〜９階であり、第３エレベータ２３は基準階である１階を含む低層階の１階〜３階であることが示されている。
【００２９】
図２（ｂ）のパターンＢでは、停電時の電力供給元が、第１エレベータ２１は建物側蓄電装置１１であり、第２エレベータ２２はエレベータ側蓄電装置２２３であり、第３エレベータ２３はエレベータ側蓄電装置２３３であることが示されている。
【００３０】
また、第１エレベータが建物側蓄電装置１１を利用して運転する際は通常運転時と同様の定格速度で運転し、第２エレベータ２２がエレベータ側蓄電装置２２３を利用して運転する際および第３エレベータ２３がエレベータ側蓄電装置２３３を利用して運転する際は定格速度よりも低速度で運転することが示されている。
【００３１】
上述したパターンＡおよびパターンＢにおいて、建物側蓄電装置１１を利用して運転するエレベータの運転対象の階床範囲は、エレベータ側蓄電装置２２３、２３３を利用して運転するエレベータの運転対象以外の階床となるように設定されるが、基準階は常に運転対象に含まれる。
【００３２】
また、停電時の運転対象の階床範囲情報として、第１エレベータ２１には基準階である１階および高層階の７階〜９階が設定され、第２エレベータ２２には基準階である１階および中層階の４階〜６階が設定され、第３エレベータ２３には基準階である１階を含む低層階の１階〜３階が設定されている。
【００３３】
このように停電時運転情報が記憶され各エレベータで通常運転が行われている状態で、停電が発生したときのエレベータ群管理装置１２の動作を、図３のフローチャートを参照して説明する。
【００３４】
中央監視制御装置１０で建物内での停電が検知されると（Ｓ１の「YES」）、停電時運転情報取得部１２２において停電時運転情報記憶部１２１から停電時運転情報が取得される（Ｓ２）。ここでは、図２（ｂ）に示すパターンＢの停電時運転情報が取得されたものとする。
【００３５】
次に、取得された停電時運転情報に基づいて、エレベータ管理部１２３により第１エレベータ２１、第２エレベータ２２、および第３エレベータ２３の運転内容が切り替えられる。
【００３６】
具体的には、第１エレベータ２１は、建物側蓄電装置１１から供給される電力を用いて、建物の１階および７階〜９階を対象として定格速度で運転するように切り替えられる。また第２エレベータ２２は、エレベータ側蓄電装置２２３から供給される電力を用いて、建物の１階および４階〜６階を対象として低速度で運転するように切り替えられる。また第３エレベータ２３は、エレベータ側蓄電装置２３３から供給される電力を用いて、建物の１階〜３階を対象として低速度で運転するように切り替えられる。
【００３７】
その後、エレベータ側蓄電装置２２３または２３２のいずれかで残容量が低下し、建物側蓄電装置１１よりも早く電力供給不可能な状態になったことがエレベータ管理部１２３で検知されると（Ｓ４の「YES」）該当するエレベータの運転が終了され、運転が終了したエレベータの運転対象の階床範囲が、建物側蓄電装置１１から電力を供給しているエレベータの運転対象に含められるように変更される（Ｓ５）。
【００３８】
例えば、建物側蓄電装置１１からは電力供給可能な状態で、エレベータ側蓄電装置２２３の残容量が低下して電力供給不可能な状態になると、図４に示すように第２エレベータ２２の運転が終了され、第２エレベータ２２のみで運転対象となっていた４階〜６階が、建物側蓄電装置１１からの電力供給で運転する第１エレベータ２１の運転対象の階床範囲に含められる。このように変更されることにより、第１エレベータ２１の運転対象の階床範囲が１階および４階〜９階になる。
【００３９】
また、エレベータ側蓄電装置２２３、２３３からは電力供給可能な状態で（Ｓ４の「NO」）、建物側蓄電装置１１の方が先に残容量が低下して電力供給不可能な状態になったことがエレベータ管理部１２３で検知されると（Ｓ６の「YES」）、図５に示すように第１エレベータ２１の運転が終了され、第１エレベータ２１の運転対象であった１階および７階〜９階が、第３エレベータ２３の運転対象となるように変更される（Ｓ７）。この際、第３エレベータ２３は、エレベータ側蓄電装置２３３からの電力供給により低速度で運転される。
【００４０】
以上の本実施形態によれば、建物側蓄電装置に接続されたエレベータとエレベータ側蓄電装置に接続されたエレベータとを含む複数のエレベータが設置された建物内において、停電時の各エレベータの運転内容として予め設定された、電力供給元の蓄電装置を示す情報および運転対象の階床情報に基づいて停電時運転を行うことで、蓄電池の無駄な消費を抑えた効率の良い運転を行うことができる。
【００４１】
その際、建物側蓄電装置から供給される電力で運転するエレベータは容量が大きいため定格速度で中層や高層階を運転し、エレベータ側蓄電装置から供給される電力で運転するエレベータは建物側蓄電装置に比べると容量が小さいため低速度で低層階を運転するように運転範囲を限定することで、さらに効率的な運転を行うことが可能になる。また、高層階はなるべく定格速度で運転することにより、乗客が利用する際のストレスを緩和することができる。
【００４２】
また、いずれかのエレベータ側蓄電装置が先に電力供給不可能な状態になったときには、該当するエレベータの運転対象の階床範囲を、建物側蓄電装置から供給される電力で運転するエレベータの運転対象に含めるように変更することにより、容量の大きい建物側蓄電装置を有効に利用して利便性の高い運転制御を行うことができる。
【００４３】
また、建物側蓄電装置が先に電力供給不可能な状態になったときには、該当するエレベータの運転対象の階床範囲が、エレベータ側蓄電装置から供給される電力で運転するいずれかのエレベータの運転対象となるように変更することにより、高層階床へのエレベータの運転を継続することができ、高層階の利用者や車椅子利用者の利便性を低下させないようにすることができる。
【００４４】
上述した実施形態においては、停電時運転情報を予め設定して記憶しておく場合について説明したが、停電が発生した時点で、各エレベータの稼動状況等に応じてエレベータ管理部で停電時運転情報を生成するようにしてもよい。例えば、建物側蓄電装置とエレベータ側蓄電装置の双方に接続されたエレベータのうち、使用頻度が高いと判断されるエレベータについては、建物側蓄電装置を利用して運転させ、使用頻度が低いと判断されるエレベータについてはエレベータ側蓄電装置を利用して運転させるように、停電時運転情報を設定することができる。
【００４５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４６】
１…エレベータシステム
１０…中央監視制御装置
１１…建物側蓄電装置
１２…エレベータ群管理装置
２１…第１エレベータ
２２…第２エレベータ
２３…第３エレベータ
１２１…停電時運転情報記憶部
１２２…停電時運転情報取得部
１２３…エレベータ管理部
２１２、２２２、２３２…エレベータ制御盤
２２３、２３３…エレベータ側蓄電装置
【図１】
2015013738.tif 000003
【図２】
2015013738.tif 000004
【図３】
2015013738.tif 000005
【図４】
2015013738.tif 000006
【図５】
2015013738.tif 000007
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
自エレベータ専用のエレベータ側蓄電装置を有するエレベータと、建物内の複数設備に電力を供給可能であり、前記エレベータ側蓄電装置よりも大きい蓄電容量を有する建物側蓄電装置に接続されたエレベータとを含む、前記建物内の複数のエレベータを管理するエレベータ群管理装置において、
前記建物内で停電が発生すると、前記エレベータごとに設定された、停電時の電力供給元を前記建物側蓄電装置とするかまたは前記エレベータ側蓄電装置とするかを示した電力供給元情報、および、停電時に運転対象とする階床範囲を示した階床範囲情報を、停電時運転情報として取得する停電時運転情報取得部と、
前記停電時運転情報取得部で停電時運転情報が取得されると、前記各エレベータを、前記停電時運転情報に基づいて、対応する電力供給元情報で示される蓄電装置から供給される電力で、対応する階床範囲情報で示される階床範囲を運転させ、
いずれかの前記エレベータ側蓄電装置が、前記建物側蓄電装置よりも早く電力供給不可能な状態になったことを検知したときには、電力供給が不可能な状態になったエレベータ側蓄電装置を有するエレベータのみで運転対象となっていた階床範囲を、前記建物側蓄電装置から供給される電力で運転するエレベータの運転対象に含めるように、前記階床範囲情報を変更し、
前記建物側蓄電装置が、前記エレベータ側蓄電装置よりも早く電力供給不可能な状態になったことを検知したときには、当該建物側蓄電装置で運転していたエレベータで運転対象となっていた階床範囲を、前記エレベータ側蓄電装置から供給される電力で運転するいずれかのエレベータの運転対象となるように、前記階床範囲情報を変更するエレベータ管理部と
を備えることを特徴とするエレベータ群管理装置。
【請求項２】
前記エレベータ管理部は、前記建物側蓄電装置から供給される電力で運転するエレベータの乗りかごは定格速度で昇降させ、前記エレベータ側蓄電装置で運転するエレベータの乗りかごは前記定格速度よりも低速度で昇降させる
ことを特徴とする請求項１に記載のエレベータ群管理装置。
【請求項３】
前記停電時運転情報取得部で取得される前記エレベータごとの階床範囲情報のうち、停電時の電力供給元を前記エレベータ側蓄電装置とするエレベータの階床範囲情報は、建物の出入り口階である基準階および低層階床に対応して設定され、停電時の電力供給元を前記建物側蓄電装置とするエレベータの階床範囲情報は、前記基準階および高層階床に対応して設定される
ことを特徴とする請求項１または２に記載のエレベータ群管理装置。
【手続補正２】
【補正対象書類名】明細書
【補正対象項目名】０００９
【補正方法】変更
【補正の内容】
【０００９】
上記目的を達成するための実施形態によればエレベータ群管理装置は、停電時運転情報取得部とエレベータ管理部とを有する。停電時運転情報取得部は、建物内で停電が発生すると、エレベータごとに設定された、停電時の電力供給元を建物側蓄電装置とするかまたはエレベータ側蓄電装置とするかを示した電力供給元情報、および、停電時に運転対象とする階床範囲を示した階床範囲情報を、停電時運転情報として取得する。エレベータ管理部は、各エレベータを、停電時運転情報に基づいて、対応する電力供給元情報で示される蓄電装置から供給される電力で、対応する階床範囲情報で示される階床範囲を運転させ、いずれかのエレベータ側蓄電装置が、建物側蓄電装置よりも早く電力供給不可能な状態になったことを検知したときには、電力供給が不可能な状態になったエレベータ側蓄電装置を有するエレベータのみで運転対象となっていた階床範囲を、建物側蓄電装置から供給される電力で運転するエレベータの運転対象に含めるように、階床範囲情報を変更し、建物側蓄電装置が、エレベータ側蓄電装置よりも早く電力供給不可能な状態になったことを検知したときには、当該建物側蓄電装置で運転していたエレベータで運転対象となっていた階床範囲を、エレベータ側蓄電装置から供給される電力で運転するいずれかのエレベータの運転対象となるように、階床範囲情報を変更する。